(57)【特許請求の範囲】
【請求項１】
沈殿槽等から排出された砂をさらに脱水するものであり、上端開口部を水切体２で被着した脱水槽１と、水切体２上に砂９を供給する砂供給装置と、水切体２上に供給された砂を排出側に移送する砂移送装置と、脱水槽内における水切体２の下を負圧にして砂間の残留水分を脱水槽内に吸引する真空吸引装置とから成る砂の脱水装置において、間隔を置いて配置した砂の移送板５３をエンドレス走行させる砂移送装置５とし、その一つの移送板５３に水切体２の目詰まりを除去する清浄体５５を設けたことを特徴とする砂の脱水装置。
【請求項２】
脱水槽内の貯水量を検知して、そのポンプ排水を制御する排水制御装置を備えたことを特徴とする請求項１記載の砂の脱水装置。
【発明の詳細な説明】
【０００１】
【発明の属する技術分野】
本発明は、沈殿槽等から排出された砂をさらに強制脱水する脱水装置を提供するものである。
【０００２】
【従来の技術】
従来から、バケットコンベア等で沈殿槽から掬い上げて水切りした直後に真空吸引して二次脱水することで一層の脱水作用を図る方式が開発されているが、その設備をバケットコンベア装置に付設することで複雑な構成となると共に保守し難い問題点があった。また、掬い上げて水切りする時間が短いため二次脱水した後も、さらに強制脱水することが望ましいこともある。
【０００３】
【発明が解決しようとする課題】
そこで本発明は、沈殿槽等から一旦排出された砂をさらに別設置の装置で強制脱水することでその装置の設備を簡単にできると共に、円滑に作動でき、さらに水切体の目詰まりを解消できる脱水装置を提供するものである。
【０００４】
【課題を解決するための手段】
このため本発明は、沈殿槽等から排出された砂をさらに脱水するものであり、上端開口部を水切体で被着した脱水槽と、水切体上に砂を供給する砂供給装置と、水切体上に供給された砂を排出側に移送する砂移送装置と、脱水槽内における水切体の下を負圧にして砂間の残留水分を脱水槽内に吸引する真空吸引装置とから成る構成の砂の脱水装置である。
そして、間隔を置いて配置した砂の移送板をエンドレス走行させる砂移送装置とし、その一つの移送板に水切体の目詰まりを除去する清浄体を設けている。また脱水槽内の貯水量を検知して、そのポンプ排水を制御する排水制御装置を備えてもよい。
【０００５】
【発明の実施の形態】
以下、本発明の詳細を図示した形態例で説明する。図１乃至図３で示す形態例において、１は細長い脱水槽であり、一側端部寄りに上端から仕切板１０を上部まで垂下させてその一側部上端を閉塞すると共に、他側上端を開口させ、その開口部に水切体２を被着して閉塞している。
【０００６】
脱水槽１の仕切板１０寄りの側胴上部には、真空装置としてのブロア３に連結した吸引配管３１が開口接続してある。また、脱水槽１の下端にはポンプ４に連結した排水管４１が開口接続してある。さらに、脱水槽１の満水位を検知してポンプ４を作動制御する液面検知器１２，１３が上下に配置してある。
【０００７】
水切体２は、図４のように、下端を巾狭状にした細長いステンレス棒体２０を僅かな間隙をおいて多数並列させたものであり、その間隙は、載置した砂が落下しないで水切りができる間隙である。
【０００８】
５は砂の移送装置であって、モータ５０でエンドレスに反転走行する一対のチエン５１間に取付桿５２を等間隔に固着し、開放端が鋸歯状の移送板５３を該取付桿５２に固着している。また、図３のように、一つの移送板の先端に水切り棒体２０間に挿入できる爪５４を突設して目詰まり清浄体５５としている。なお、６は砂の投入ホッパ、７は移送された脱水砂の排出コンベアである。
【０００９】
次に本例の作用を説明すると、投入ホッパ６から水切体２の一側端上に砂９が供給され、モータ５０の回転で移送板５３及び清浄体５５が走行するため、図４のように、砂９が水切体２上を移動して他側端に送られ、排出コンベア７に落下して排出されるのである。
【００１０】
この際、ブロア３による吸引で連通している脱水槽１内が負圧状態となるため、水切体２上に載置された砂間の水分が脱水槽１内に吸引されるのである。即ち、真空吸引によって水切体２上の砂間から外部の空気が脱水槽１内に吸引され吸引配管３１から排気されることで砂間の水が分離されて吸引されるのである。これにより、砂９が脱水され含水率の少ない砂が得られるのである。
【００１１】
吸引された水は脱水槽１に貯留され、水位が上位置の液面検知器１２まで上がるとポンプ４が作動して排水管４１から排水し、水位が下位置の液面検知器１２まで下がるとポンプ４が停止して排水を止めるのである。
【００１２】
また、図５及び図６のように、清浄体５５の走行によってその爪５４が棒体２０間に挿入して水切体２の目詰まりを掃除するため真空吸引が良好に保持できるのである。
【００１３】
本形態例は上記の構成としたが、本発明においてはこれに限定されない。例えば、脱水槽の形状や大きさは問わない。また、水切体の構成も限定されず、網状体でもよく、或いは上下方向に撓む棒体を間隙のないよう並列させて構成してもよい。さらに、水切体上に供給された砂を排出側に移送する砂移送装置も適宜である。また、脱水槽内における水切体の下を負圧にして砂間の残留水分を脱水槽内に吸引する真空吸引装置も任意である。
【００１４】
なお、移送装置の一つの移送板に水切体の目詰まりを除去する清浄体を設ける場合は、その清浄体の構成も限定されず、図７及び図８のように、ブラシ状としてもよい。また、水切体の目詰まりを除去するものとして、図９のように、高さの異なる棒体を一つ置きに配置した水切体とし、高い棒体をシリンダ等で持ち上げる構成としてもよく、これにより水切体の間隙が開き、目詰まりした砂が落下するのである。
【００１５】
【発明の効果】
本発明の請求項１によると、沈殿槽等から排出された砂が、さらに真空吸引で強制脱水されて含水率の少ない砂が得られるのであり、単独装置のため簡単な構成で保守し易く、しかも水切体の目詰まりが解消されて良好な吸引脱水が確保でき、請求項２では脱水槽内の水を円滑に排水制御できるのである。
【図面の簡単な説明】
【図１】本発明の一形態例の縦断正面図である。
【図２】その拡大平面図である。
【図３】その拡大側面図である。
【図４】その水切体の要部拡大側面図である。
【図５】その清浄体の作用を示す要部の拡大側面図である。
【図６】その清浄体の作用を示す要部のさらに拡大した縦断正面図である。
【図７】別例の清浄体の作用を示す要部の拡大側面図である。
【図８】その清浄体の作用を示す要部のさらに拡大した縦断正面図である。
【図９】目詰まり除去装置の別例を示す要部の拡大側面図である。
【符号の説明】
１    脱水槽
１０  仕切板
１２，１３  液面検知器
２    水切体
２０  棒体
３    ブロア
４    ポンプ
５    移送装置
５０  モータ
５３  移送板
５４  爪
５５  清浄体
６    投入ホッパ
７    排出コンベア
【図１】
0003657759.tif 000002
【図２】
0003657759.tif 000003
【図３】
0003657759.tif 000004
【図４】
0003657759.tif 000005
【図５】
0003657759.tif 000006
【図６】
0003657759.tif 000007
【図７】
0003657759.tif 000008
【図８】
0003657759.tif 000009
【図９】
0003657759.tif 000010